(57)【要約】【課題】髪の毛やタオルがきれいに張り付き、引き剥がし易くなる循環式浴槽の吸水口構造を提供する。【解決手段】浴槽１の開口１ａに、浴槽内側からパッキン１３を介して吸水口フランジ７を固設し、この吸水口フランジ７の浴槽内側に吸水口カバー８を取り付けた構成において、吸水口カバー８は、底壁部８１の外周に円筒側面部８２が一体形成された有底円筒形状をなし、底壁部８１は略球面状の曲面に形成されて、ほぼ全面に亘って小孔８３，８３，８３が開設されているとともに、円筒側面部８２には、小孔が存在しないように構成されている。【選択図】                図２
2005013293.tif 000002
【特許請求の範囲】
【請求項１】
浴槽の開口に浴槽内側からパッキンを介して吸水口フランジを固設し、該吸水口フランジの浴槽内側に吸水口カバーを取り付けた構成の循環式浴槽の吸水口構造において、
前記吸水口カバーは、底壁部の外周に円筒側面部が一体形成された有底円筒形状をなし、前記底壁部は略球面状の曲面に形成されて、ほぼ全面に亘って小孔が開設されているとともに、前記円筒側面部には小孔が存在しないように構成したことを特徴とする循環式浴槽の吸水口構造。
【請求項２】
吸水口が閉塞されることによって変動する変動要素の変化を検知する検知手段を設け、該検知手段を介し吸水口が所定の割合閉塞されたことが検知された際には、運転を停止するように構成したことを特徴とする請求項１に記載の循環式浴槽の吸水口構造。
【発明の詳細な説明】
【０００１】
【発明の属する技術分野】
この発明は、循環式浴槽における吸水口の構造に関するものである。
【０００２】
【従来の技術】
従来、浴槽内の湯を吸水口から吸い出して、再び噴出口から浴槽内に戻すように構成した循環式浴槽の吸水口には、浴槽内側に吸水口カバーが設けられており、この吸水口カバーは、有底円筒形状で、底壁部は略平面に形成され、底壁部と円筒部に開口を設けたものが多く、また底壁部に凹凸を形成し、その凹部のみに開口を設けたものもある（例えば、特許文献１参照。）。
また、有底円筒形状で、浴槽設置時に下側となる円筒部に開口を設けたものもある（例えば、特許文献２参照。）。
【０００３】
【特許文献１】
特開２００２−１９１５１８号公報
【特許文献２】
特開平８−２１５２６７号公報
【０００４】
【発明が解決しようとする課題】
吸水口カバーの底壁部と円筒部に、共に開口を設けた場合、正面に位置する底壁部からの吸い込みが多いため、髪の毛やタオルが先ず底壁部に吸引されて張り付き、底壁部が塞がれることで、遂には円筒部からの吸引力が大きくなり、円筒部に巻き付くように張り付いてゆくことが多く、吸水口カバーへの髪の毛やタオル等の張り付き方が乱れ易いものであった。
そのため、張り付いた髪の毛同士が複雑に絡み合ったり、吸水口カバーの側面に巻き付くように張り付くことで、引き剥がすのに大きな力が必要であった。
また、底壁部が略平面の場合、例えば入浴中に人体が触れると、底壁部全体を覆うように張り付き易いものとなっていた。
【０００５】
また、底壁部に凹凸を形成し、凹部に開口を設けることで底壁部を人体等で閉塞し難くする場合もあるが、その場合、循環に必要な開口面積を確保するには、吸水口カバーを大きくする必要があった。
【０００６】
また、浴槽に取り付けた際に下側に位置する側面から吸い込む構成では、開口面積を大きく取れず、吸水口カバーの外径を大きくしたり、循環ポンプの循環流量が少ないものを選択する必要があった。
また、開口部を下側にして位置決めする必要もあった。
【０００７】
【課題を解決するための手段】
本発明は、上記従来の問題点に鑑み案出したものであって、人体や異物を吸い込み難くなり、また吸水口カバーから髪の毛等を容易に引き剥がすことのできる循環式浴槽の吸水口構造を提供せんことを目的とし、その第１の要旨は、浴槽の開口に浴槽内側からパッキンを介して吸水口フランジを固設し、該吸水口フランジの浴槽内側に吸水口カバーを取り付けた構成の循環式浴槽の吸水口構造において、前記吸水口カバーは、底壁部の外周に円筒側面部が一体形成された有底円筒形状をなし、前記底壁部は略球面状の曲面に形成されて、ほぼ全面に亘って小孔が開設されているとともに、前記円筒側面部には小孔が存在しないように構成したことである。
【０００８】
また、第２の要旨は、吸水口が閉塞されることによって変動する変動要素の変化を検知する検知手段を設け、該検知手段を介し吸水口が所定の割合閉塞されたことが検知された際には、運転を停止するように構成したことである。
【０００９】
【発明の実施の形態】
以下、本発明の実施例を図面に基づいて説明する。
図１は、循環式浴槽の概略構成図であり、浴槽１には、吸水口２と噴出口３が設けられており、この吸水口２と噴出口３間は循環路４で結ばれており、循環路４の途中には循環ポンプ５が設けられて、この循環ポンプ５が作動することにより、吸水口２から浴槽１内の湯を循環路４内に吸い込んで、再び噴出口３から浴槽１内に湯を噴出させることができるように構成されており、循環路４内の循環ポンプ５の例えば下流側には圧力センサー６が設けられて、この圧力センサー６により、循環路４内の圧力変化が検知された場合、すなわち、吸水口２が髪の毛やタオル等で塞がれた場合には、循環ポンプ５を確実に停止させることができるように構成されている。
【００１０】
この吸水口２は、図２の縦断面拡大図で示すような部材が組み付けられて構成されている。
なお、図３には吸水口２を構成する部材の分解斜視図を示している。
浴槽の壁１には、所定位置に開口１ａが貫通状に形成されており、この開口１ａに対し、浴槽の内側から吸水口フランジ７が差し込まれて、浴槽壁１の裏側に吸水口フランジ７が貫通され、この吸水口フランジ７に対し、浴槽壁１の外側から吸水口ボディ１５を締め付けて、吸水口フランジ７が浴槽壁１に固設されるものであり、この吸水口フランジ７に対し、浴槽内側から吸水口カバー８が取り付けられている。
【００１１】
先ず、吸水口フランジ７を、図４および図５に拡大して示し、その構成を説明する。
図４は、吸水口フランジ７の縦断面拡大構成図（図４は図５のＡ−Ａ線断面を示す）であり、図５は、吸水口フランジ７の正面構成図である。
吸水口フランジ７は、横方向に貫通する開口７１ｂを形成する筒状の筒状部７１を有し、この筒状部７１の外周には、吸水口ボディ１５を連結するための連結用雄ネジ部７１ａが形成されている。
また、筒状部７１の図示左部位には、開口７１ｂ内に板状のリブ７２が、上方側から下方に向かって垂設されており、このリブ７２の上部および下部には、それぞれネジ用下孔７２ａ，７２ａが横方向に貫通状に形成されている。
【００１２】
このリブ７２より図示左側の筒状部７１の左端には、アール部７１ｄが形成され、このアール部７１ｄとリブ７２間には、凹み状に取付凹部７１ｃが形成されており、この取付凹部７１ｃ内に、第１フィルター９と、第２フィルター１１を取り付けできるように構成されている。
また、筒状部７１の図示左端のアール部７１ｄから、外側へ９０°に突出してフランジ部７３が一体形成されており、このフランジ部７３は、スリップワッシャー１２およびＬ型パッキン１３を介在させて、浴槽壁１の内面に当接されるものである。
【００１３】
このフランジ部７３の外周付近に、直交状に立上部７４が全周に亘って図示左側に向かい一体状に立ち上げ形成されており、この立上部７４は筒状部７１と平行状に形成されている。
この立上部７４の外周には、雄ネジ部７４ａが形成され、この雄ネジ部７４ａよりもフランジ部７３側の外周には、凹み状にＯリング溝７４ｂが形成されており、このＯリング溝７４ｂには、ＯリングＯを嵌め込むことができるように構成されている。
また、フランジ部７３から外側へ突出して鍔部７５が一体形成されており、この鍔部７５は、立上部７４の根本から更に吸水口カバー８の円筒側面部８２の外径寸法まで外側へ延長させたものである。
【００１４】
次に、吸水口カバー８を、図６に拡大縦断面構成図で示し説明する。
吸水口カバー８は、球面状の曲面に形成された底壁部８１の外周に、横方向へ向かって円筒側面部８２が一体形成されて、全体として有底円筒形状に形成されており、底壁部８１には、全面に亘って横方向に貫通する多数の小孔８３が形成され、この小孔８３は、底壁部８１のみに形成されて、円筒側面部８２には形成されていない。なお、この多数の小孔８２が第３フィルターを構成するものである。
【００１５】
また、円筒側面部８２の内周面には、雌ネジ部８２ａが底壁部８１側に形成されており、雌ネジ部８２ａの図示右側の円筒側面部８２の内周には、ＯリングＯの外周に当接し得るＯリング当接面８２ｂが形成されており、Ｏリング当接面８２ｂの図示右端の、円筒側面部８２の端面には、平らな当接端面８２ｃが形成されている。
【００１６】
この吸水口カバー８の雌ネジ部８２ａを、吸水口フランジ７の雄ネジ部７４ａに螺合させて、吸水口フランジ７に対し吸水口カバー８をねじ込み、吸水口カバー８を着脱可能に取り付けすることができるものであり、吸水口フランジ７に対し吸水口カバー８をねじ込んだ際に、吸水口カバー８の当接端面８２ｃが吸水口フランジ７の鍔部７５に全周に亘って当接するように構成されており、この状態では、Ｏリング溝７４ｂに装着されているＯリングＯの外周にＯリング当接面８２ｂが当接するものである。
【００１７】
なお、雄ネジ部７４ａに雌ネジ部８２ａが引っ掛かり始めたねじ込み初期から、少なくとも吸水口カバー８を９０°回転させる時点までは、Ｏリング当接面８２ｂがＯリングＯに当接しないように設定されている。
即ち、雄ネジ部７４ａに雌ネジ部８２ａがしっかりと引っ掛かるまでは、ＯリングＯにＯリング当接面８２ｂが当接せず、Ｏリングによる摺動抵抗が発生しないように構成されている。
このように、Ｏリングに当たるとねじ込み難くなるため、確実に吸水口カバー８をねじ込みできるように設定されており、ねじ込み作業がし易く、無理にねじ込んでネジ山を潰すことのないように設定されている。
【００１８】
なお、更には、吸水口カバー８の当接端面８２ｃと、吸水口フランジ７の鍔部７５との隙間が１ｍｍ以下の状態では、Ｏリング当接面８２ｂがＯリングＯの外周に当接状態を維持するように設定されている。
即ち、１ｍｍ以下の隙間が生じても、ＯリングＯによりシールが成されているため、この隙間内に髪の毛等が吸い込まれることはない。
【００１９】
なお、Ｏリング当接面８２ｂと鍔部７５との間に、１ｍｍ程度の隙間が生じていれば、吸水口カバー８が緩んでいることを目で十分確認することができ、使用者は吸水口カバー８の円筒側面部８２に手を掛けて締め付け、Ｏリング当接面８２ｂを確実に吸水口フランジ７の鍔部７５に当接させて、確実なシール性を確保することができるものとなる。
例えば、子供のいたずら等で吸水口カバー８が緩んだ時には、Ｏリング当接面８２ｂと鍔部７５間に生ずる隙間を、視覚的に良好に確認でき、すぐ締め付ける作業を行うことができる。
【００２０】
なお、締め付け直した状態では、ＯリングＯによるシールと、当接端面８２ｃと鍔部７５が全周に亘って当接することで、確実なシール性が確保されるため、髪の毛やタオル等が吸い込まれることはない。
また、ＯリングＯの外周にＯリング当接面８２ｂが当接する構造であり、ＯリングＯには押し潰し力は作用しないために、ＯリングＯがへたることがなく、Ｏリングの耐久性も高められるものとなる。
また、吸水口カバー８はねじ込み式であるため、使用者にとっては分かり易く、着脱し易いものとなり、当接端面８２ｃを吸水口フランジ７の鍔部７５に当接させて、確実なシール性を確保できるものとなる。
【００２１】
なお、吸水口カバー８の底壁部８１は球面状の曲面であるため、人の手などで多数の小孔８３全部を覆うことは難しいが、髪の毛やタオルは乱れることなく、多数の小孔８３に張り付き、円筒側面部８２には開口がないため、円筒側面部８２には張り付かないものとなる。
なお、髪の毛やタオルが乱れることなく、底壁部８１に張り付くことで、前述した如く、吸水口２が良好に閉塞され、これにより循環ポンプ５が運転を良好に停止し、髪の毛やタオルの吸い込みが停止され、しかも底壁部８１は球面状であるため、髪の毛やタオルを真上方向に軽い力で引き上げて、底壁部８１から引き剥がすことができ、髪の毛やタオルを引っ張って容易に吸水口カバー８から引き離すことができ、安全性が向上したものとなっている。
【００２２】
なお、多数の小孔８３は、底壁部８１の全面に開口されているため、十分な開口面積が確保されており、通常運転時に流速も速くならず、吸引力も小さいものとなる。
なお、吸水口フランジ７の筒状部７１を、浴槽壁１の開口１ａを通して外側に配置させ、浴槽の外側から吸水口ボディ１５を締め付けるが、吸水口ボディ１５は、大径部１５ａの図示左端に、外側へ突出する鍔部１５ｂが一体形成され、この鍔部１５ｂの内周側には、雌ネジ１５ｃが形成されている。また、大径部１５ａの右端には、連続して小径部１５ｄが形成されている。
【００２３】
この吸水口ボディ１５の雌ネジ１５ｃを、吸水口フランジ７の連結用雄ネジ部７１ａに螺合させて締め付けてゆくが、この時に、浴槽壁１と吸水口ボディ１５の鍔部１５ｂ間に三角パッキン１４を介在させておき、また、浴槽壁１と吸水口フランジ７のフランジ部７３間には、スリップワッシャー１２とＬ型パッキン１３を介在させておき、このＬ型パッキン１３と三角パッキン１４で、確実に浴槽壁の開口１ａを塞ぐことができるものである。
即ち、Ｌ型パッキン１３は、吸水口フランジ７のフランジ部７３と浴槽壁１間に挟まれ、また、三角パッキン１４は、吸水口ボディ１５の鍔部１５ｂと浴槽壁１間に挟まれて、良好なシール性が確保されるものである。
【００２４】
次に、前述した吸水口フランジ７の取付凹部７１ｃ内に取り付けられる第１フィルター９を、図７および図８で拡大して説明する。
なお、図７は、図８（正面図）におけるＣ−Ｃ線断面図である。
第１フィルター９は、内側に段部９１ａを形成した外周リング部９１を有し、この外周リング部９１の内側には、対向状に２個のネジ通し孔９２，９２が形成されている。
また、中央部の中央板部９３には、図示左方向へ突出するリング状の立上リング部９４が一体形成されており、この立上リング部９４内には、嵌合凹部９５が形成されている。
中央板部９３と外周リング部９１間には、網部９６が張設されており、例えばこの網部９６は、０．５ｍｍ程度のステンレス線材で、１０メッシュ程度の網状に形成されたものである。
【００２５】
この第１フィルター９は、吸水口フランジ７の取付凹部７１ｃ内に嵌め込まれ、ネジ通し孔９２，９２にそれぞれタッピングネジ１０，１０を通し、このタッピングネジ１０，１０を、それぞれ、吸水口フランジ７のネジ用下孔７２ａ，７２ａ内にネジを切りながら締め付けてゆくことで、タッピングネジ１０，１０を介して、第１フィルター９は吸水口フランジ７の取付凹部７１ｃ内に固定状に取り付けられるものである。
【００２６】
次に、第２フィルター１１を、図９および図１０に拡大して示す。なお、図９は、図１０（正面図）におけるＢ−Ｂ線断面を示すものである。
この第２フィルター１１は、外周リング部１１１の外周端部には、アール１１１ａが形成されており、第２フィルター１１の中央部には、図示左側へ突出して、指で摘まむことのできる摘み突部１１２が設けられ、この摘み突部１１２の外周には、外側へ突出して鍔リング部１１３が形成されて、更に鍔リング部１１３から図示右側に突出して、差込部１１４が摘み突部１１２と連続状に形成されている。
また、鍔リング部１１３と外周リング部１１１の内周間には、網部１１５が張設されている。
【００２７】
この第２フィルター１１の差込部１１４を、前記第１フィルター９の嵌合凹部９５内に差し込み、しかも、第２フィルター１１の外周リング部１１１を、吸水口フランジ７の取付凹部７１ｃの内面に嵌合させて、摩擦力で取付凹部７１ｃ内に第２フィルター１１を着脱可能に固定できるように構成されている。
このように、吸水口フランジ７の取付凹部７１ｃ内に、第１フィルター９を固定状に取り付け、更に、第２フィルター１１を着脱可能に取り付けた後に、吸水口フランジ７には、前述した吸水口カバー８が、ネジを介し着脱可能に取り付けられるものである。
【００２８】
このように本例では、網状フィルターである第１フィルター９と、その上流側の網状フィルターである第２フィルター１１と、更にその上流側に配置される吸水口カバー８の小孔８３で構成される第３フィルターの、３段階のフィルターが配置されて構成されており、先ず、小孔８３の第３フィルターで大きめのゴミを捕獲し、第２フィルター１１で小さめのゴミを捕獲することができ、この第３フィルター８３と第２フィルター１１は、着脱可能なものであるため、良好に掃除することができ、ゴミ等を効率良く２つのフィルター８３，１１で捕獲できるために、目詰まりし難いものとなる。
【００２９】
なお、第３フィルター８３と第２フィルター１１を外したままで運転された場合には、第１フィルター９で最低限のゴミは捕獲できるため、循環ポンプ５が壊れる可能性は低いものとなる。
なお、第２フィルター１１の網部１１５のメッシュを、第１フィルター９の網部９６のメッシュよりもフィルター性能の高い細かいものに設定しておけば、第３フィルター８３と第２フィルター１１で効率良くゴミ等が捕獲されるため、第１フィルター９が目詰まりを起こすことは殆ど無いものとなる。
【００３０】
なお、上流側の吸水口カバー８の小孔８３で構成される第３フィルターでは、大きなゴミや髪の毛等，湯垢，石鹸かす等の比較的粘度が大きく固まっているものを捕獲することができ、下流側の第２フィルター１１，第１フィルター９では、繊維状の糸くず等を良好に捕獲することができるものとなる。
即ち、第３フィルター８３で捕獲し難い小さな糸くずのみを第２フィルター１１，第１フィルター９で捕獲すれば良いため、効率良く捕獲しながら目詰まりし難いものとなり、ポンプ５の故障につながる大きな異物や髪の毛等の吸い込みを確実に防ぐことができるものである。
【００３１】
【発明の効果】
本発明は、浴槽の開口に浴槽内側からパッキンを介して吸水口フランジを固設し、吸水口フランジの浴槽内側に吸水口カバーを取り付けた構成の循環式浴槽の吸水口構造において、吸水口カバーは底壁部の外周に円筒側面部が一体形成された有底円筒形状をなし、底壁部は略球面状の曲面に形成されて、ほぼ全面に亘って小孔が開設されているとともに、円筒側面部には小孔が存在しないように構成したことにより、人体では吸水口カバーの小孔の大部分を覆えないため、人体では強い吸引力には至らず、また髪の毛やタオルは底壁部の小孔にきれいに張り付くため、互いに絡み合ったり円筒側面部に張り付いたりしないため、髪の毛やタオルを吸水口カバーから引き剥がし易いものとなる。
また、十分な開口面積が確保でき、通常運転の時には流速も速くならず、吸引力も小さいものとなる。
また、底壁部が球面状の曲面であるため、髪の毛等を引き剥がす際に剥がし易いものとなる。
また、円筒側面部には小孔がないため、円筒側面部をＯリングの当接面や吸水口フランジへの固定部として使うことができ、しかも吸水口カバーが大きくなることもない。また、吸水口カバーの回転方向の位置決めが不要なため、生産時や使用時に作業し易く、吸水口カバーの固定方法に制約が少ないものとなる。
【００３２】
また、吸水口が閉塞されることによって変動する変動要素の変化を検知する検知手段を設け、検知手段を介し吸水口が所定の割合閉塞されたことが検知された際には、運転を停止するように構成したことにより、吸水口カバーへの髪の毛やタオル等の張り付きが乱れず、きれいに張り付くため、吸水口カバーを閉塞し易く、確実に閉塞して運転を停止させることができ、安全機能の信頼性が高まるものとなる。
【図面の簡単な説明】
【図１】循環式浴槽の要部概略構成図である。
【図２】吸水口の構成部材の組付状態の縦断面拡大構成図である。
【図３】吸水口の構成部材の分解斜視図である。
【図４】吸水口フランジの縦断面拡大構成図（図５のＡ−Ａ線断面図）である。
【図５】吸水口フランジの正面構成図である。
【図６】吸水口カバーの縦断面拡大構成図である。
【図７】第１フィルターの縦断面拡大構成図（図８のＣ−Ｃ線断面図）である。
【図８】第１フィルターの正面構成図である。
【図９】第２フィルターの縦断面拡大構成図（図１０のＢ−Ｂ線断面図）である。
【図１０】第２フィルターの正面拡大構成図である。
【符号の説明】
１    浴槽（浴槽壁）
２    吸水口
３    噴出口
４    循環路
５    循環ポンプ
６    圧力センサー
７    吸水口フランジ
８    吸水口カバー
９    第１フィルター
１０    タッピングネジ
１１    第２フィルター
１２    スリップワッシャー
１３    Ｌ型パッキン
１４    三角パッキン
１５    吸水口ボディ
１５ａ    大径部
１５ｂ    鍔部
１５ｃ    雌ネジ部
１５ｄ    小径部
７１    筒状部
７１ａ    連結用雄ネジ部
７１ｂ    開口
７１ｃ    取付凹部
７２    リブ
７２ａ    ネジ用下孔
７３    フランジ部
７４    立上部
７４ａ    雄ネジ部
７４ｂ    Ｏリング溝
７５    鍔部
８１    底壁部
８２    円筒側面部
８２ａ    雌ネジ部
８２ｂ    Ｏリング当接面
８２ｃ    当接端面
８３    小孔（第３フィルター）
９１    外周リング部
９２    ネジ通し孔
９３    中央板部
９４    立上リング部
９５    嵌合凹部
９６    網部
１１１    外周リング部
１１２    摘み突部
１１３    鍔リング部
１１４    差込部
１１５    網部
【図１】
2005013293.tif 000003
【図２】
2005013293.tif 000004
【図３】
2005013293.tif 000005
【図４】
2005013293.tif 000006
【図５】
2005013293.tif 000007
【図６】
2005013293.tif 000008
【図７】
2005013293.tif 000009
【図８】
2005013293.tif 000010
【図９】
2005013293.tif 000011
【図１０】
2005013293.tif 000012